【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
空調機が設置される空調機室と、
この空調機室に形成され、少なくとも空調機室外の空気である外部空気を取り込む外部空気取込口と、
前記空調機室に設置され、前記外部空気取込口から取り込んだ外部空気で前記空調機室の空調を行う空調機と、
一方の口が前記空調機室の側に設置され、他方の口が住宅の各部屋に導かれた複数のダクトと、
これら複数のダクトにそれぞれ設けられた送風機とを備える空調システムであって、
前記空調機室は、
前記空調機室において、前記空調機および前記複数の送風機を、前記空調機を最上位にして上下方向に設置して備えた上で、
前記空調機室の壁面のうち、前記空調機に対向する対向側壁に形成された前記外部空気取込口と、
前記空調機の下方であって前記送風機よりも上方側に位置して、前記空調機と前記複数の送風機を上下に画成するよう配置された画成板と、
前記外部空気および前記空調機から流出する流出空気が前記ダクトの前記一方の口へ向けて送気される前に、前記外部空気および前記流出空気を混合する混合部とを有し、
該混合部は、前記画成板と前記対向側壁との間に形成された通風空間とされている空調システム。
【請求項２】
前記画成板は、折りたたみ可能な板状材である請求項１に記載の空調システム。
【請求項３】
前記画成板は、前記板状材が、ヒンジを軸として、水平状態と垂直状態との間で位置する請求項１または請求項２に記載の空調システム。
【請求項４】
前記画成板は、前記板状材が蛇腹によって伸縮可能である請求項２に記載の空調システム。
【請求項５】
住宅に設置され、空調機を有する空調機室であって、
前記空調機が接続される側壁と、
該側壁に対向し、空調機室外の空気である外部空気を取り込む外部空気取込口が形成された対向側壁と、
前記空調機よりも下方側に位置し、ダクトが接続される送風機と、
前記空調機の下方であって前記送風機よりも上方側に位置して、前記空調機と前記複数の送風機を上下に画成するよう配置された画成板と、
前記外部空気および前記空調機から流出する流出空気が前記ダクトへ向けて送気される前に、前記外部空気および前記流出空気を混合する混合部とを有し、
該混合部は、前記画成板と前記対向側壁との間に形成された通風空間とされている空調機室。
【手続補正２】
【補正対象書類名】明細書
【補正対象項目名】発明の名称
【補正方法】変更
【補正の内容】
【発明の名称】空調システムと空調機室
【手続補正３】
【補正対象書類名】明細書
【補正対象項目名】００１２
【補正方法】変更
【補正の内容】
【００１２】
上記した技術的課題を解決するため、本発明では以下の構成とした。
すなわち、本発明の空調システムは、空調機が設置される空調機室と、この空調機室に形成され、少なくとも空調機室外の空気である外部空気を取り込む外部空気取込口と、空調機室に設置され、前記外部空気取込口から取り込んだ外部空気で空調機室の空調を行う空調機と、一方の口が前記空調機室の側に設置され、他方の口が住宅の各部屋に導かれた複数のダクトと、これら複数のダクトにそれぞれ設けられた送風機とを備える空調システムである。そして、前記空調機室は、前記空調機室において、前記空調機および前記複数の送風機を、前記空調機を最上位にして上下方向に設置して備えた上で、前記空調機室の壁面のうち、前記空調機に対向する対向側壁に形成された前記外部空気取込口と、前記空調機の下方であって前記送風機よりも上方側に位置して、前記空調機と前記複数の送風機を上下に画成するよう配置された画成板と、前記外部空気および前記空調機から流出する流出空気が前記ダクトの前記一方の口へ向けて送気される前に、前記外部空気および前記流出空気を混合する混合部とを有し、該混合部は、前記画成板と前記対向側壁との間に形成された通風空間とされている。
【手続補正４】
【補正対象書類名】明細書
【補正対象項目名】００１４
【補正方法】変更
【補正の内容】
【００１４】
したがって、このように構成された本発明の空調システムによれば、空調機室と各部屋とを結ぶ複数のダクトを介してほぼ一様な温度の空気が各部屋に送られるようになる。このため室間温度差を少なくすることができる。よって、省エネルギー型の送風システムということができる。
【手続補正５】
【補正対象書類名】明細書
【補正対象項目名】００１６
【補正方法】変更
【補正の内容】
【００１６】
【図１】本発明の実施例１のセントラル空調システムが適用された高気密・高断熱住宅の断面図
【図２】図１の斜視図
【図３】参考例に係る空調機室の斜視図
【図４】図３の縦断面図
【図５】図４の矢印V方向から見た図
【図６】図４の矢印VI方向から見た図
【図７】図４の矢印VII方向から見た図
【図８】図４のVIII-VIII線断面図
【図９】実施例に係る空調機室の斜視図
【図１０】図９の縦断面図
【図１１】図１０の矢印XI方向から見た図
【図１２】図１０の矢印XII方向から見た図
【図１３】図１０のXIII-XIII線断面図
【図１４】図１１のXIV-XIV線断面図
【図１５】他の参考例に係る空調機室の縦断面図
【図１６】図１５のXVI-XVI線断面図
【図１７】図１５のXVII-XVII線断面図
【図１８】図１５のXVIII-XVIII線断面図
【図１９】図１５のXIX-XIX線断面図
【図２０】本願発明が適用される前の各部屋の温度−時間線図
【図２１】本願発明が適用された後の各部屋の温度−時間線図
【図２２】本願発明の効果を説明するための比較表
【手続補正６】
【補正対象書類名】明細書
【補正対象項目名】００１８
【補正方法】変更
【補正の内容】
【００１８】
まず、図１〜図８を参照して参考例を説明する。
図１は、本発明に係るセントラル空調システムＳ１が適用された高気密・高断熱住宅（以下、住宅）を示す。
高気密とは、住宅内に隙間風が入ってこないようにすることであり、高断熱とは、住宅の外部と接する部分である外壁・屋根・窓などから、冬なら暖気を逃さないように、夏なら熱が入らないようにすることである。それ故、高気密・高断熱住宅は、気密性を高めるために、微細な隙間も埋められる。また、断熱性を高めるために断熱性能の高い断熱材が使用され、窓には複層ガラス入りサッシなどが使用される。
【手続補正７】
【補正対象書類名】明細書
【補正対象項目名】００２４
【補正方法】変更
【補正の内容】
【００２４】
（点検口１７）
図２、３、５に示すように、点検口１７は、空調機室１に設置してあるエアコン２その他の機器の保守・点検のため、点検者が空調機室１に対して出入りするドアである。
参考例では、点検口１７は、空調機室１の一側壁１１１（図２参照）と、垂れ壁６（図５参照）に形成されている。
【手続補正８】
【補正対象書類名】明細書
【補正対象項目名】００３２
【補正方法】変更
【補正の内容】
【００３２】
例えば、断熱区分４地域の通常（１４０ｍ2程度）の住宅ではエアコンの能力は１台（５ｋｗ相当）設置すればよい。しかし、住宅の形状、住まい方により、２台以上設置することもある。エアコンを複数台並べるときは、屋根裏空気吸込口４００のほぼ真下でその長手方向に沿って直列すると好適である。
【手続補正９】
【補正対象書類名】明細書
【補正対象項目名】００３８
【補正方法】変更
【補正の内容】
【００３８】
（給気送風機４）
図３、４で示すように、給気送風機４は、垂れ壁６と平行になるように天井面から垂下されている給気送風機取り付け壁４４に取り付けられている。給気送風機取り付け壁４４は格子状をしている。そして、この参考例では、給気送風機４が、給気送風機取り付け壁４４に対し、離隔状態の上下２段で、片段６基の合計１２基が取り付けられている。給気送風機取り付け壁４４のうち、垂れ壁６のある側と反対の側は、給気ダクト３の配管スペース１０２として確保されている。
【手続補正１０】
【補正対象書類名】明細書
【補正対象項目名】００４１
【補正方法】変更
【補正の内容】
【００４１】
またこの参考例では、給気ダクト３の一方の口は、給気送風機４と接続されたが、給気ダクト３の他方の口は、住宅の空調対象の部屋である複数の居室４２と床下３６に案内され、それぞれに設けられた吹出しグリル５０とつなげられる。そして、吹出しグリル５０からは、空調機室１で空調された空気（以下、給気ＳＡ）が給気ダクト３経由で、居室４２や床下３６に向けて吹き出す。
【手続補正１１】
【補正対象書類名】明細書
【補正対象項目名】００５７
【補正方法】変更
【補正の内容】
【００５７】
給気送風機４は、空調機室１と住宅の居室４２その他の各部屋とを結ぶ複数のダクトの一方の口とつながっているので、当該ダクトを介して、ほぼ一様な温度の空気である混合空気が、各部屋に送気され、かつ住宅全体で環流する。
【手続補正１２】
【補正対象書類名】明細書
【補正対象項目名】００６１
【補正方法】変更
【補正の内容】
【００６１】
（実施例）
次に図９〜図１４を参照して実施例を説明する。
実施例が既述した参考例と異なるのは、混合部および給気送風機４の設置箇所のみである。
よって相違する箇所のみ説明し、上記の参考例と同一部分には、同一符号を付して説明を省略する。
【手続補正１３】
【補正対象書類名】明細書
【補正対象項目名】００６２
【補正方法】変更
【補正の内容】
【００６２】
この実施例が既述した参考例と相違する点を列挙すると、図９及び１０からわかるように、（１）給気送風機取り付け壁４４にエアコン２も設置されていること、（２）空調機室１の側壁１１１のうち、エアコン２と対向する位置に屋根裏空気吸込口４００が設けられていること（３）垂れ壁６がないこと、（４）垂れ壁６の代わりに画成板として、エアコン２の直下に水平板が配置されていること、（５）水平板が折りたたみ可能な板状材であること、である。
【手続補正１４】
【補正対象書類名】明細書
【補正対象項目名】００６５
【補正方法】変更
【補正の内容】
【００６５】
そして、既述のように、実施例では垂れ壁６がない。但し、垂れ壁６の代わりに画成板として、図９、１０及び１４に示すように、エアコン２の直下に折りたたみ可能な板状材６１が設けられている。具体的には、板状材６１が、図示しないヒンジを軸として、図１０に示すように、水平状態と垂直状態との間で時計回り及び反時計回りに回転する。
【手続補正１５】
【補正対象書類名】明細書
【補正対象項目名】００６７
【補正方法】変更
【補正の内容】
【００６７】
また、実施例の場合、外気導入口（図示せず）は、エアコン２の設置高さに合わせて側壁１１１Ａの上方部に設置するのが好適である。
【手続補正１６】
【補正対象書類名】明細書
【補正対象項目名】００６８
【補正方法】変更
【補正の内容】
【００６８】
さらに、実施例の場合、空調機室１の上方部にある混合部３００において、外気導入口から取り込まれる外気、屋根裏空気吸込口４００から粉塵除去フィルター４０１を経由して取り込まれる屋根裏空気及びエアコン空気が混合する。そして、混合空気は、給気送風機４によって取り込まれ、前記給気ダクト３へ向けて送気される。
【手続補正１７】
【補正対象書類名】明細書
【補正対象項目名】００６９
【補正方法】変更
【補正の内容】
【００６９】
その後の空気の流れは、既述した参考例の場合と同様である。また、屋根裏空気吸込口４００がエアコン２と対向するように両者が設置されているので（図１０参照）、屋根裏空気吸込口４００から取り込まれる屋根裏空気とエアコン空気とが衝突しあう。したがって、混合効率がよい。
【手続補正１８】
【補正対象書類名】明細書
【補正対象項目名】００７０
【補正方法】変更
【補正の内容】
【００７０】
また、実施例では、垂れ壁６が無いことと、混合部３００を形成するための板状材６１が、垂れ壁６に比べてかなり小さめであるので、空調機室１をコンパクトにすることができる。また、実施例にあっては、空調機室１がコンパクトであっても、給気送風機取り付け壁４４には、給気送風機４を３段に取り付けて多段式にした。したがって、給気送風機４の数に遜色はなく、逆に多く設置できる。よって既述した参考例の場合と比べ空調効果に遜色はない。
【手続補正１９】
【補正対象書類名】明細書
【補正対象項目名】００７１
【補正方法】変更
【補正の内容】
【００７１】
他の作用効果は、既述した参考例の場合と同じである。
なお、前記画成板である板状材６１を蛇腹によって伸縮可能にしてもよい。
また、実施例では、点検口１７は、空調機室１の対向側壁１１１Ａ（図１２、１３参照）に形成されている。
【手続補正２０】
【補正対象書類名】明細書
【補正対象項目名】００７２
【補正方法】変更
【補正の内容】
【００７２】
次に図１５〜図１９を参照して他の参考例を説明する。
この他の参考例が既述した参考例と異なるのは、エアコン２の設置位置及び屋根裏空気吸込口４００の大きさである。
よって、既述した参考例と相違する箇所のみ説明することとし、既述した参考例と同一部分には、同一符号を付して説明を省略する。
【手続補正２１】
【補正対象書類名】明細書
【補正対象項目名】００７３
【補正方法】変更
【補正の内容】
【００７３】
他の参考例に係るエアコン２は、その位置が、垂れ壁６の最上位に位置する（図１５，１７参照）。そして、エアコン２の高さ寸法よりも幾分大きめの縦幅を有する屋根裏空気吸込口４００が、エアコン２と対向して側壁１１１に形成されている。また、実施例の場合と同様、図示は省略するが、外気導入口は、エアコン２の設置高さに合わせて側壁１１１の上方部に設置するのが好適である。
【手続補正２２】
【補正対象書類名】明細書
【補正対象項目名】００７４
【補正方法】変更
【補正の内容】
【００７４】
他の参考例の場合、屋根裏空気吸込口４００がエアコン２と対向するように両者が設置されている。よって、屋根裏空気吸込口４００から取り込まれる屋根裏空気とエアコン空気とが衝突しあうので、混合効率がよくなる。
【手続補正２３】
【補正対象書類名】明細書
【補正対象項目名】００７５
【補正方法】変更
【補正の内容】
【００７５】
他の参考例では、点検口１７は、図１９に示すように、空調機室１の一側壁１１１Ｂ（図１９参照）に形成されている。